(57)【要約】【課題】かご２内及び居室への外部汚染空気の侵入を抑制すること。【解決手段】かご２内に複数のファン１０群〜５０群を設置し、これらの組合せで課題を解決する。まず、戸閉待機中やロビー階に向って走行中には、図４（ａ）のように、ファン２１，２２及び４１〜４３を運転してかご内の浄化を行う。ロビー階から利用者の乗り込み時は、図４（ｂ）でファン３０群（３１〜３３）により、乗客に付着した外部汚染要因をロビー側へ吹き飛ばし、また、居室階へ走行中は、図４（ｃ）のようにかご２内の乗客を浄化し、居室階へ到着時には、図４（ｄ）のようにドア開口部をエアカーテンのようなファン１０により、居室階へかご内の汚染空気を排出しないようにした。【選択図】  図４
2005015099.tif 000002
【特許請求の範囲】
【請求項１】
複数階からの乗り場呼びと、かご内のかご呼びに応答して複数階間を運転するエレベーターのかごと、かご内の空気を浄化する空気浄化装置を備えたエレベーターの運転制御装置において、ロビー階に停止してエレベーターのドアを開いたときに、かご内からドア開放面に向けて空気を送風する手段と、エレベーターの走行中に、かご内乗客に側面から空気を送風する手段と、エレベーターが居室階に到着してドアを開いたとき、このドア開放面を遮るように空気を送風する手段を備えたことを特徴とするエレベーターの運転制御装置。
【請求項２】
請求項１において、エレベーターが戸閉待機中及び／又はロビー階に向かって走行中に、かごの上方からかご内に向けて空気を送風する手段と、かご内空気を外部へ排出する手段を備えたことを特徴とするエレベーターの運転制御装置。
【請求項３】
複数階からの乗り場呼びと、かご内のかご呼びに応答して複数階間を運転するエレベーターのかごと、かご内の空気を浄化する空気浄化装置を備えたエレベーターの運転制御装置において、ロビー階に停止してエレベーターのドアを開いたときに、かご内からドア開放面に向けて空気を送風する手段を備えたことを特徴とするエレベーターの運転制御装置。
【請求項４】
複数階からの乗り場呼びと、かご内のかご呼びに応答して複数階間を運転するエレベーターのかごと、かご内の空気を浄化する空気浄化装置を備えたエレベーターの運転制御装置において、エレベーターの走行中に、かご内乗客に側面から空気を送風する手段を備えたことを特徴とするエレベーターの運転制御装置。
【請求項５】
請求項４において、エレベーターの走行中に、かご内乗客に上方から空気を送風する手段と、かご内空気を外部へ排出する手段を備えたことを特徴とするエレベーターの運転制御装置。
【請求項６】
複数階からの乗り場呼びと、かご内のかご呼びに応答して複数階間を運転するエレベーターのかごと、かご内の空気を浄化する空気浄化装置を備えたエレベーターの運転制御装置において、エレベーターが居室階に到着してドアを開いたとき、このドア開放面と略平行に空気を送風する手段を備えたことを特徴とするエレベーターの運転制御装置。
【請求項７】
複数階からの乗り場呼びと、かご内のかご呼びに応答して複数階間を運転するエレベーターのかごと、かご内の空気を浄化する空気浄化装置を備えたエレベーターの運転制御装置において、エレベーターが戸閉待機中及び／又はロビー階に向かって走行中に、かごの上方からかご内に向けて空気を送風する手段と、かご内空気を外部へ排出する手段を備えたことを特徴とするエレベーターの運転制御装置。
【請求項８】
複数階からの乗り場呼びと、かご内のかご呼びに応答して複数階間を運転するエレベーターのかごと、かご内の空気を浄化する空気浄化装置を備えたエレベーターの運転制御装置において、エレベーターの戸開時にこの開放面と略平行に空気を送風する第１の送風手段と、かご内乗客に向けて上方から空気を送風する第２の送風手段と、エレベーターの戸開時にかご内からドア開放面に向けて空気を送風する第３の送風手段と、ロビー階への到着，走行中，及び居室階への到着を含む３つ以上のエレベーターの運転状態を判別する手段と、これら３つ以上の運転状態の判別結果に応じて、前記第１〜第３の送風手段のオン／オフ状態の３つ以上の組合わせを切替える切替手段を備えたことを特徴とするエレベーターの運転制御装置。
【請求項９】
請求項８において、更に、かご内の空気を外部へ排出する第４の送風手段及び／又はかご内乗客に側面から空気を送風する第５の送風手段を備え、前記切替手段は、前記第１〜第５の送風手段のオン／オフ状態の３つ以上の組合わせを切替えるように構成したことを特徴とするエレベーターの運転制御装置。
【請求項１０】
複数階からの乗り場呼びと、かご内のかご呼びに応答して複数階間を運転するエレベーターのかごと、かご内の空気を浄化する空気浄化装置を備えたエレベーターの運転制御装置において、エレベーターの戸開時にこの開放面と略平行に空気を送風する第１の送風手段と、かご内乗客に向けて上方から空気を送風する第２の送風手段と、エレベーターの戸開時にかご内からドア開放面に向けて空気を送風する第３の送風手段と、かご内の空気を外部へ排出する第４の送風手段と、かご内乗客に側面から空気を送風する第５の送風手段と、ロビー階での戸開，走行中，及び居室階への到着を含む３つ以上のエレベーターの運転状態を判別する手段と、これら３つ以上の運転状態の判別結果に応じて、前記第１〜第５の送風手段のオン／オフ状態の３つ以上の組合わせを切替える切替手段を備えたことを特徴とするエレベーターの運転制御装置。
【請求項１１】
請求項８〜１０のいずれかにおいて、３つ以上の前記運転状態は、戸閉待機，ロビー階への走行中，及び／又は居室階への走行中を含むことを特徴とするエレベーターの運転制御装置。
【請求項１２】
請求項８〜１１のいずれかにおいて、かご内に設置された切替スイッチ，外部信号，及び／又は時間帯に応じて、前記切替手段を有効とする手段を備えたことを特徴とするエレベーターの運転制御装置。
【請求項１３】
請求項８〜１２のいずれかにおいて、前記切替手段を、管制運転時に無効とする手段を備えたことを特徴とするエレベーターの運転制御装置。
【請求項１４】
複数階からの乗り場呼びと、かご内のかご呼びに応答してエレベーターのかごを複数階間に運転させるステップと、かご内の空気を浄化するステップを備えたエレベーターの運転制御方法において、３つ以上のエレベーターの運転状態を判別するステップと、これら３つ以上の運転状態の判別結果に応じて、複数のかご内送風機のオン／オフ状態の３つ以上の組合わせを切替えるステップを備えたことを特徴とするエレベーターの運転制御方法。
【発明の詳細な説明】
【０００１】
【発明の属する技術分野】
本発明は、エレベーターの運転制御装置及び方法の改良に係り、特に、かご内及び居室階を清潔に保つエレベーター運転制御装置及び方法に関する。
【０００２】
【従来の技術】
古くから、かご内に換気扇やエアコン等が取り付けられたエレベーターが採用されている。このエレベーターでは、かご内の換気が目的であったり、温度を一定に保つことを主目的としてきた。
【０００３】
一方、積極的なクリーン運転の従来技術として特許文献１がある。この文献には、かご内の空気をフィルタを備えたダクトとの間を強制循環させ、かご内空気を常時清浄化するクリーンルーム用エレベーターにおいて、一般階にも運転させるために、一般階に着床中にはかご内を加圧する技術が開示されている。
【０００４】
【特許文献１】
特開平６−２６３３６３号公報（全体）
【０００５】
【発明が解決しようとする課題】
上記特許文献１では、エレベーター利用者に、外部での汚染要因が付着しておれば、その利用者とともにかご内及びクリーンルーム階へ少なからず外部汚染要因が持ち込まれる。
【０００６】
近年、風邪やインフルエンザ等の流行により社会機能が麻痺する現象が散見され、また、花粉アレルギーにより引き起こされる「花粉症」等の症状を緩和する意味で、かご外からの種々ある外部要因をビル内に持ち込まないエレベーター制御装置及び方法の出現が望まれる。
【０００７】
本発明の目的は、エレベーターを利用する際に、外部から居室へ「匂い」「病原菌」「花粉」等の進入を防止し、かご及び居室内の清浄化を向上することである。
【０００８】
【課題を解決するための手段】
本発明はその一面において、ロビー階に停止してエレベーターのドアを開いたときに、かご内からドア開放面に向けて空気を送風する手段と、エレベーターの走行中に、かご内乗客に側面から空気を送風する手段と、エレベーターが居室階に到着してドアを開いたとき、このドア開放面と略平行に空気を送風する手段を備えたことを特徴とする。
【０００９】
本発明は他の一面において、エレベーターの戸開時にこの開放面と略平行に空気を送風する第１の送風手段と、かご内乗客に向けて上方から空気を送風する第２の送風手段と、エレベーターの戸開時にかご内からドア開放面に向けて空気を送風する第３の送風手段と、かご内の空気を外部へ排出する第４の送風手段と、かご内乗客に側面から空気を送風する第５の送風手段と、ロビー階での戸開，走行中，及び居室階への到着を含む３つ以上のエレベーターの運転状態を判別する手段と、これら３つ以上の運転状態の判別結果に応じて、前記第１〜第５の送風手段のオン／オフ状態の３つ以上の組合わせを切替える切替手段を備えたことを特徴とする。
【００１０】
これにより、建屋外ないしロビー階の汚染外気の、建屋内の居室への侵入を抑制することができる。
【００１１】
本発明のその他の目的及び特徴は、以下の実施形態の説明で明らかになる。
【００１２】
【発明の実施の形態】
以下、図面を参照し、本発明の実施例について説明する。
【００１３】
図１は、本発明の一実施形態によるエレベーターの運転制御装置の概略構成図である。エレベーターの運転を制御する制御盤１と、複数の階床間にサービスするエレベーターのかご２を示している。詳細は省略しているが、制御盤１には、中央処理装置として働くＣＰＵと、ＲＯＭ、ＲＡＭで構成される記憶装置等を含むマイコン制御部を備えている。このマイコン制御部のプログラムは、エレベーターの各種の運転を行なう上で必要な制御機能モジュール群で構成されている。この制御機能モジュール群には、本実施形態で後述するエレベーターの運転制御機能を成す機能モジュールが含まれる。
【００１４】
また、かご２には、後述する制御を実施する上で重要な、送風手段としてのファン１０群，２０群，３０群，４０群，及び５０群が設置されている。各ファン群は、１〜数個のファンからなり、以下に述べる機能を果すものである。まず、第１の送風手段としてのファン１０群は、主に、かご内乗客が居室に降りる際に動作し、かご内の汚染空気を開いたエレベータードアを通して、居室へ流出させないように作用させる。一般に、エアカーテンと呼ばれる圧縮空気の噴射を用いることもできる。図には、１個のファン１０のみを示すが、複数のファンや噴射装置を配置し、エレベータードアの開放面に略平行に、その全面をエアカーテンで遮ることが望ましい。
【００１５】
次に、第２の送風手段としてのファン２０群（２１，２２）は、エレベーターの走行中において、かご内に上方から送風し、かご内乗客に付着している匂いや花粉や病原菌などの外部汚染物質を取り払うように作用する。本実施形態では、ファンを利用しているが、エアシャワーと呼ばれる圧縮空気の噴射を利用しても良い。
【００１６】
また、第３の送風手段としてのファン３０群は、ロビー階にて外部から乗客が乗り込む際にかご内に汚染空気及び物質が入り込まないように作用するものである。エレベーターかご２がロビー階に停止してドアを開いたとき、かご内の後方のファン３１〜３３から、ドア開放面に向って送風し、汚染空気等をロビー側へ吹き飛ばし、かご内への侵入を防止する。
【００１７】
次に、第４の送風手段としてのファン４０群は、エレベーターの待機中や、エレベーター走行中に、かご内の汚染空気をかご外へ排出するように作用するものである。特に、前記第２の送風手段２０群による汚染物質除去中に、これによって浮遊するかご内の汚染空気を、かご後部のファン４１〜４３によって吸い集めて、外部へ排出する。あるいは、吸い集めた後、エアフィルタを通して、第２の送風手段２０群を通してかご内に循環させても良い。
【００１８】
最後に、第５の送風手段としてのファン５０群は、乗客を乗せてエレベーターが走行中に、乗客に付着している外部汚染物質を側面から取り払うよう作用するものである。図では、かご２の側面にファン５１〜５４を配置して、乗客の左右から空気を送風している。
【００１９】
ここで、すべてのファン群をエアシャワーと言われるような圧縮空気の噴射としても良い。また、ファン１０群，２０群，４０群には、通風路にフィルタを配置してエアクリーナとしても良い。
【００２０】
図２は、本発明の一実施形態によるエレベーターの運転制御装置のハード部分構成図である。制御盤１内で出力された信号によってＯＮするゲートＺ１０〜Ｚ５０により、それぞれ、出力リレーＲ１０〜Ｒ５０がＯＮするものである。
【００２１】
リレーＲ１０の接点Ｃ１０がＯＮすると、かご２の第１の送風手段としてのファン１０群を駆動し、前述した例えばエアカーテンの役割を果たすものである。同様に、リレーＲ２０の接点Ｃ２０のＯＮ時は、かご２の第２の送風手段としてのファン２０群（２１、２２）を駆動し、かご内乗客の浄化をする。リレーＲ３０の接点Ｃ３０のＯＮ時は、かご２の第３の送風手段としてのファン３０群（３１〜３３）を駆動し、乗客に付着している「匂い」「病原菌」「花粉」等を取り払う作用をする。リレーＲ４０の接点Ｃ４０のＯＮ時には、かご２の第４の送風手段としてのファン４０群（４１〜４３）を駆動し、かご内汚染空気をかご外へ排気する。最後に、リレーＲ５０の接点Ｃ５０のＯＮ時は、かご２の第５の送風手段としてのファン５０群（５１〜５４）を駆動し、乗客に対して側面からの送風によりエアシャワーの役割を果たすものである。
【００２２】
図３は、本発明の一実施形態によるエレベーターの運転制御装置の処理フローである。これは、図１の制御盤１の内部のマイクロコンピュータにより、例えば４０［ｍｓ］に１度程度の頻度でタイマー割り込みによって起動される。ステップ３０１において、エレベーターが戸閉待機中であるか判断する。戸閉待機中であれば、ステップ３０２において、かご内浄化（乗込み準備）として、ファン２０群と４０群を運転する。
【００２３】
図４は、本発明の一実施形態によるエレベーターの運転制御装置のかご内送風状態概略図である。前記かご内浄化（乗込み準備）状態は、同図（ａ）に示す通り、ファン２１，２２による上方からの送風と、ファン４１〜４３によるかご２の背面からの排気によってかご２内の汚染物質をかご外へ排出する制御を行う。このとき、ファン４１〜４３によるかご２の背面からの吸収後に、エアフィルタを通してファン２１，２２へ循環させることが望ましい。
【００２４】
さて、ステップ３０３において、エレベーター待機が１０分以上経過したと判断すると、十分にかご内の浄化と換気が成されたと見なして、ステップ３０４に進んで全てのファンを停止し、省エネを図る。
【００２５】
また、居室階からロビー階へ向けて走行中の場合は、ステップ３０５にて、これを検知し、ステップ３０２で、やはり前記かご内浄化（乗込み準備）を行う。これは、かご内が汚染されていることを前提に、ロビー階での乗込準備として、かご内の浄化を行うものである。
【００２６】
次に、ステップ３０６において、ロビー階で戸開したことを検知すると、ステップ３０７に進んで、かご内汚染防止を実行する。すなわち、ファン３１〜３３を運転し、図４（ｂ）に示すように、かご内からドアに向けて送風し、乗り込み者に付着した汚染のかご内侵入を防止する。
【００２７】
その後、乗り込み者が、居室階へのかご内の行先呼びボタンを操作し、走行を開始すると、ステップ３０８でこれを検知し、ステップ３０９にてかご内乗客の浄化を行う。すなわち、図４（ｃ）に示すように、ファン１０，２０（２１，２２），４０（４１〜４３），及び５０群（５１〜５４）を運転して、かご内乗客に付着した汚染を振り払いながら、外部へ排気し、乗客の浄化を行う。
【００２８】
居室階へ到着すると、ステップ３１０にてこれを検知し、ステップ３１１で居室階汚染防止を行う。これは、ファン１０を運転し、図４（ｄ）に示すように、エアカーテン的役割をさせて、かご内の汚染空気が居室階へ流出するのを防止するものである。
【００２９】
この実施形態を要約すると、複数階からの乗り場呼びと、かご内のかご呼びに応答して複数階間を運転するエレベーターのかごと、かご内の空気を浄化する空気浄化装置を備えたエレベーターの運転制御装置を前提としている。ここで、エレベーターのかごに、５種類の送風手段を備えている。まず、エレベーターの戸開時に、この開放面と略平行に空気を送風する第１の送風手段があり、エアカーテン的な役目を担っている。次に、かご内乗客に向けて上方から空気を送風する第２の送風手段があり、乗客に付着した塵や汚染物質を振り払う。また、エレベーターの戸開時にかご内からドア開放面に向けて空気を送風する第３の送風手段により、ロビー階からの乗込み客とともに汚染が侵入するのを防止している。次に、かご内の空気を外部へ排出する第４の送風手段があり、特に前記第２の送風手段と協働して、かご内を浄化する。最後に、かご内乗客に側面から空気を送風する第５の送風手段を備え、乗客に付着した塵や汚染物質を振り払う。
【００３０】
そして、戸閉待機，待機１０分経過，ロビー階への走行中，ロビー階での戸開，居室階への走行中，及び居室階への到着の６つのエレベーターの運転状態を判別する手段を備えている。これら６つの運転状態の判別結果に応じて、前記第１〜第５の送風手段のオン／オフ状態の５つの組合わせを切替える切替手段を備えている。
【００３１】
この実施形態によれば、建屋の外部から、ロビー階を通してエレベーターかご及び居室階への「塵埃」「匂い」「病原菌」「花粉」等の侵入を抑制することができる。
【００３２】
【発明の効果】
本発明によれば、かご内及び居室階の清浄化を向上することができる。
【図面の簡単な説明】
【図１】本発明の一実施形態によるエレベーターの運転制御装置の概略構成図。
【図２】本発明の一実施形態によるエレベーターの運転制御装置のハード部分構成図。
【図３】本発明の一実施形態によるエレベーターの運転制御装置の処理フロー。
【図４】本発明の一実施形態によるエレベーターの運転制御装置のかご内送風状態概略図。
【符号の説明】
１…制御盤、２…エレベーターかご、１０…第１の送風手段としてのファン群、２０（２１，２２）…第２の送風手段としてのファン群、３０（３１〜３３）…第３の送風手段としてのファン群、４０（４１〜４３）…第４の送風手段としてのファン群、５０（５１〜５４）…第５の送風手段としてのファン群。
【図１】
2005015099.tif 000003
【図２】
2005015099.tif 000004
【図３】
2005015099.tif 000005
【図４】
2005015099.tif 000006